(57)【要約】本発明は、粉体計量払い出し蓋（１）に関する。該粉体計量払い出し蓋は、粉体容器（１０）と連通するよう設計された第１端面（４）と、前記第１端面（４）とともに、前記第１端面（４）に向かって広がる少なくとも１つの供給開口（６）を定め、前記供給開口（６）が少なくとも１つのウォームねじ（７）を提供する第２端面（５）と、少なくとも１つの開口（１２）とを有する本体（３）を含む。本発明の装置は、前記開口（１２）が、前記第２端面（５）に、前記ウォームねじ（７）と接して配置されていることを特徴とする。
2004534940.tif 000002
【特許請求の範囲】
【請求項１】
粉体容器（１０）と連通するように設計された第１端面（４）と、
前記第１端面（４）とともに、前記第１端面（４）に向かって広がる少なくとも１つの供給孔（６）を定め、該供給ホッパ（６）が少なくとも１つのウォームねじ（７）を提供する第２端面（５）と、
少なくとも１つの開口（１２）とを有する本体（３）を含む供給蓋（１）において、
前記開口（１２）は、前記第２端面に、前記ウォームねじ（７）と連通するように配置されていることを特徴とする粉体供給蓋（１）。
【請求項２】
前記開口（１２）は、三角形、四辺形、円形または楕円形である請求項１に記載の粉体供給蓋（１）。
【請求項３】
前記開口（１２）は、前記ウォームねじ（７）の軸上に中心を置き、前記ウォームねじ（７）の払い出し方向に開く角度を有する三角の形状である請求項１または２に記載の粉体供給蓋（１）。
【請求項４】
前記開口（１２）は、前記第２端面（５）の全体の厚みよりも小さい厚みに、前記蓋（１）の内側の方に形成された請求項１から３のいずれかに記載の粉体供給蓋（１）。
【請求項５】
前記開口（１２）の表面積の変更を可能とするために、前記開口（１２）の全体または一部を閉塞する閉塞手段を含む請求項１から４のいずれかに記載の粉体供給蓋（１）。
【請求項６】
前記閉塞手段は、前記第２端面（５）の全体または一部を覆う少なくとも１つの要素を含み、前記要素は、前記第２端面（５）に対して可動であり、前記開口（１２）と対向して位置することができる貫通穴を有する請求項５に記載の粉体供給蓋（１）。
【請求項７】
前記閉塞手段は、カメラ形式のダイアフラムシャッタまたはスライドシャッタから選択される請求項６に記載の粉体供給蓋（１）。
【請求項８】
前記ウォームねじ（７）は、１つの方向または反対の方向に回転されることで機能する請求項１から７のいずれかに記載の粉体供給蓋（１）。
【請求項９】
前記ウォームねじ（７）は、前記ウォームねじ（７）の回転を可能にするように設計された伝動部材（８）を含む請求項１から８のいずれかに記載の粉体供給蓋（１）。
【請求項１０】
前記ウォームねじ（７）は、装置（１４）に接続され、この装置により前記ウォームねじの回転運動を与える伝動部材（８）に作用することによって、前記ウォームねじ（７）の回転の増加角度または回転の速度を、変更および制御することができ、および／または、粉体の払い出しを促進する装置に接続されている請求項１から９のいずれかに記載の粉体供給蓋（１）。
【請求項１１】
さらに、特に、前記供給蓋（１）および／または粉体容器（１０）の振動および／または軽打による、粉体の払い出しを促進する装置を含む請求項１から１０のいずれかに記載の粉体供給蓋。
【請求項１２】
前記軽打により粉体の払い出しを促進する装置は、可倒式の指状体である請求項１１に記載の粉体供給蓋。
【請求項１３】
前記振動により粉体の払い出しを促進する装置は、支持フォークである請求項１１に記載の粉体供給蓋。
【請求項１４】
さらに、前記供給ホッパの内側に配置された攪拌機を含む請求項１から１３のいずれかに記載の粉体供給蓋。
【請求項１５】
前記攪拌機は、前記第１および／または第２端面にほぼ垂直な軸周りに回転する要素である請求項１４に記載の粉体供給蓋。
【請求項１６】
前記攪拌機は、ウォームねじ、ドリルまたは羽根が設けられた棒からなる群より選択される請求項１５に記載の粉体供給蓋。
【請求項１７】
さらに、イオン化プローブまたは尖頭のような静電防止装置を含む請求項１から１６のいずれかに記載の粉体供給蓋。
【請求項１８】
それを構成する部品は、使用および保管の条件において熱的に安定で、供給される粉体を化学的に活性化させない、特に、ポリエチレン、ポリプロピレン、４フッ化エチレン（テフロン）のようなフッ素樹脂のような高分子材料からなる請求項１から１７のいずれかに記載の粉体供給蓋。
【請求項１９】
請求項１から１８のいずれかに記載の供給蓋（１）と連通する粉体容器（１０）を有する粉体供給装置（１）。
【請求項２０】
前記粉体は、５ｍｇ以下、好ましくは３ｍｇ以下、より好ましくはおよそ１から２ｇの間の量で、実行される計量動作の５０％以上、好ましくは７５％以上、より好ましくは８５％以上に対して、１ｍｇ以下、好ましくは０．５ｍｇ以下、より好ましくは０．１から０．２ｍｇのオーダーの計量精度である請求項１９に記載の粉体供給装置。
【請求項２１】
請求項１から１８のいずれかに記載の供給蓋（１）または請求項１９と２０のいずれかに記載の装置の使用。
【発明の詳細な説明】
【技術分野】
【０００１】
本発明は、紛体供給（dosing）装置に関する。
【０００２】
さらに詳しくは、本発明は、紛体容器と供給蓋とからなり、少量の紛体を高精度で払い出すことができる供給装置に関する。
【背景技術】
【０００３】
化学および製薬工業において、とりわけ化合物の収集品から、紛体状の薬品または製品の正確な計量作業を実行することがしばしば必要である。多数の紛体製品の分析を行うとき、継続的な計量作業は、特に単調になる。それらは、作業人員への汚染をもたらし、または製品の価値を下げる原因となる。
【０００４】
多様な粉体の定められた量を所望の精度で払い出すことを可能にするために、これら計量作業の自動化が求められてきた。他の目的は作業人員を起こりうる汚染から保護する一方、同時にさらに起こり得る価値の低下から製品を守ることであった。
【０００５】
フランス特許出願ＦＲ  ２  ６７２  ０３５号は、定められた量の粉体を払い出すことが可能な装置について記載している。この装置は、粉体の瓶（flask）と供給蓋とから成っている。供給蓋は、粉体の瓶と連通する第１端面と、第１端面とともに、第１端面に向かって広がる円錐状の供給ホッパを定める第２端面とを有する円筒円錐状の本体を含む。
【０００６】
供給ホッパはウォームねじ（endless screw）を提供する。蓋の本体は、ウォームねじの軸上でかつその端部に、蓋本体の横に位置する開口を含む。瓶を倒置したとき、粉体が供給ホッパに満たされる。ウォームねじを回転することにより、開口を通して制御された量の粉体を払い出すことができる。
【０００７】
前記装置は、１ｍｇのオーダーの精度で、約５ｍｇから約８ｍｇおよびそれ以上までの製品の量を払い出すのにもっぱら向いている。
【０００８】
他の同じタイプの装置は、フランス特許出願ＦＲ  ２  ７７５  ９５８号に記載されている。ウォームねじと該ウォームねじの端部に払い出し開口を備えた蓋を使用する原則は、すでにＵＳ２，５９３，８０３号のように古い文献にも引用されている。
【０００９】
Fink-Chemie GmbH の名によるドイツ実用新案第８９  １４  ３８９Ｕ号は、流動材料、特に粉体を供給する装置を記載している。この装置は、ウォームねじに粉体を供給する注入口を備える。このウォームねじは、粉体を装置の下面に形成した払い出し開口に向かって移送する。
【００１０】
しかし、この装置は、特に化合物の収集品で機能するときに要求されるような、少量の多様なタイプの粉体を正確に供給する供給蓋とは似ていない。それどころか、この装置は、正確性が重要とされない粉体の大量供給のために設計されていると思われる。また、この実用新案は正確な要求量の供給には言及していない。
【発明の開示】
【発明が解決しようとする課題】
【００１１】
化学および製薬工業の要求は、０．１から０．２ｍｇのオーダーの精度で、すなわち、従来技術の粉体引き出し装置の能力性能をはるかに超えた精度で１から２ｍｇを計量することを要求する。
【課題を解決するための手段】
【００１２】
出願人は、製品の計量に化学および製薬工業によって課された新しい要求を満足することができる新しい粉体供給装置を発見し、開発した。
【００１３】
そのような供給装置は、特に化合物の収集物からの等分（aliquoting）または貯蔵瓶からの分別（fractionation）に適している。非常に異なる粒子の大きさおよび異なる外見の粉体または小さい固形物、例えば、タルク、乳糖、コーンスターチまたは砂に使用することができる。本特許出願において、「粉体」という言葉は、上に例として挙げたような、ウォームねじのねじ溝および半径よりも小さい粒子の大きさを有する、粉体または小さい固形物を意味する。
【００１４】
ゆえに、本特許出願は、粉体容器に連通するよう設計された第１端面と、前記第１端面とともに、前記第１端面に向かって広がる少なくとも１つの供給ホッパを定め、該供給ホッパが少なくとも１つのウォームねじを提供する第２端面と、少なくとも１つの開口とを含む供給蓋に関する。本発明による蓋は、前記開口が前記第２端面に、前記ウォームねじと連通するように配置されていることを特徴とする。
【００１５】
本特許出願は、また、本発明による蓋と粉体容器とを含む供給装置にも関する。
【００１６】
いかなる理論にも束縛されないで、出願人は、前記蓋の本体の側部、前記ウォームねじの軸上および端部ではなく、前記蓋の本体の第２端面に、払い出し開口を配置したことにより、粉体の流れがよりよく制御され、より細かい角度の制御が達成されることを発見した。これは、より少量の粉体を供給し、高水準の精度で行うことを可能にする。
【００１７】
より明確に言えば、本発明による蓋を含む装置は、意味深くは５ｍｇ未満の、特に３ｍｇ未満の、約１から２ｍｇまでもの粉体の量を供給することを可能にする。計量精度は、多くの計量作業（標準化されていない計量作業は、所望の精度が達成されていない中のものである）に対して、１ｍｇ未満、好ましくは０．５ｍｇ以下、より好ましくは０．１から０．２ｍｇのオーダーにできる。多くの計量作業は、実行さる計量作業の５０％以上、好ましくは計量作業の少なくとも７５％、より好ましくは少なくとも８５％であるように定められる。最大値である計量作業の１００％さえも、いくつかの場合に達成される。
【００１８】
向上した精度での、より少量の計量の可能性に加えて、本発明による供給蓋が与えられた、本発明による装置は、また、多くの時間を節約し、それらの操作を制限することでサンプリングされる粉体のよりよい保存を可能にする。
【００１９】
本発明による装置は、計量作業を制御および完全に自動化することを容易にするためにソフトウェアで作動する自動システムに接続することができる。
【００２０】
払い出しの間、もし必要なら粉体を緩め、または、供給蓋あるいは容器に生じるスタッキング（stacking）効果を排除するために、装置を軽打（tapping）または振動させることが特に好ましい。これにより、供給ホッパを通したウォームねじへの供給が改善される。粉体は、装置の振動または軽打によってもウォームねじの回転の如何によらず払い出され得る。装置の振動または軽打の作用により、実際に粉体を前記ウォームねじのねじ溝に沿って開口にまで前進させることができる。このように、本発明による装置は、特に、例えば供給蓋または該供給蓋に連通する容器を、例えば毎秒４回叩くことができる可動および可倒式の指状体という手段による軽打、および／または、特に前記装置の支持フォーク（holding fork）という手段による振動によって、粉体の払い出しを促進する装置を都合よくは含む。
【００２１】
本発明による装置は、また、供給孔に位置する攪拌機を設けることもできる。この攪拌機は、供給を調整でき、主として２つの機能を有する。
【００２２】
前記攪拌機の第１の機能は、粉体の効果的な払い出しに有害な供給孔内でのスタッキング効果を排除する。
【００２３】
前記攪拌機の第２の機能は、ウォームねじへの供給またはむらのない充填である。
【００２４】
この攪拌機は、都合よくは、第１および／または第２端面にほぼ垂直な軸周りに回転する回転体である。ほぼ垂直な軸は、第１および／または第２端面と９０°±４５°の角度で交差するものと理解する。
【００２５】
前記攪拌機は、モータによって駆動することができ、該モータは、供給の要求によってその回転を制御するコンピュータに接続してもよく、また、しなくてもよい。好ましい実施形態において、攪拌機は、ウォームねじ、ドリルまたは羽根が設けられた棒からなる群から選択される。
【００２６】
粉体供給装置が使用されていないとき、蓋は、完全にまたは部分的に開口を塞ぐようなフードで覆われ、これにより、埃または周囲の空気による汚染を防止する。
【００２７】
粉体容器は、いかなる大きさまたは形状であってもよく、保管および使用の条件において熱的に安定で、収容する粉体に化学的に不活性である、いかなる材質で構成されていてもよい。前記容器は、特に、化学合成品の収集に一般に使用されるいかなる薬箱または瓶でもよい。例として、例えばＢＶ１８薬用型の頚のあるガラス製の薬箱が挙げられる。当業者は、容易に、供給蓋の寸法を使用する容器に合わせる事、または、与えられた容器に与えられた蓋を適合させる中間部材を提供することができる。このように、本発明による供給蓋は、ユーザが所有しているいかなる薬箱にも適合することができる。
【００２８】
本発明による蓋は、使用中にキャップと容器との間で漏れがない密接を確保する手段を備えることができる。そのような手段は、例えばワッシャのような唇部（lip）とすることができる。
【００２９】
蓋の本体の第１端面は、一方で、払い出されるべき粉体を包含する容器と、他方で、供給ホッパとが連通することができるように、完全または部分的に開口している。
【００３０】
第１端面は、例えば、ねじによる、クリップ、接着剤、モールド成型のような、好ましくはねじによる、公知の手段により、粉体を包含する容器に固定することができる。
【００３１】
蓋の本体は、自動システムによって使用されるときに蓋の位置決めを可能とするために、その外表面に表示を有することができる。
【００３２】
ウォームねじは、好ましくは、蓋の第１および第２端面に交差する鉛直な中心軸に対して９０°±４５°にほぼ等しい角度をなす軸上で供給蓋を貫通して延びる。
【００３３】
ウォームねじの直径およびピッチは、払い出される粉体のタイプによって変更できる。ウォームねじは、好ましくは、そのピッチに近い直径を有する。それは、ウォームねじに加えられた回転の方向によって、粉体を１方向または反対に搬送することができる。ウォームねじの払い出しの方向は、払い出し開口に向かって所望の製品の搬送が可能になるように定める。
【００３４】
ウォームねじは、回転を可能にするよう設計された伝動部材を含むことができる。この伝動部材は、例えば、ウォームねじの一端のその軸上の凹部であることができる。この凹部は、好ましくは十字型である。もし、製品がもっぱら振動または軽打によって払い出されるなら、伝動部材はなくてもよい。
【００３５】
装置は、適切であれば、ウォームねじの伝動部材により、伝動部材の回転動作の作用、あるいは振動または軽打の力または周波数によって、ウォームねじの回転の増加の角度または回転の速度を制御および変更が可能な装置に接続することができる。これらの条件下で、ウォームねじの動作および／または装置の振動または軽打は、外部信号を介してはかりの計量表示に従い、所望の粉体量に達したときに停止される。
【００３６】
本発明による装置は、１または複数の帯電防止装置に接続し、粉体の払い出しを促進する電場を生成することもできる。いかなる特定の理論にも束縛されることなく、出願人は、供給される粉体が自然に帯電すること、または、払い出される製品の粒子によって装置の要素に作用する摩擦が帯電した存在（charged entities）を生成することを確信する。帯電は、装置の要素との接触で、特に、粒子の集積または粒子の磁化に至る力を誘引する。このように、本発明による装置は、好ましくは、蓋の払い出し開口の出口に設置され、粒子の移動を導くことができる電場を生成する少なくとも１つの帯電防止装置を有する。払い出し開口の全体を覆うために、好ましくは、２つの帯電防止装置が使用される。帯電防止装置は、例えば、４ｋＶの電場を生成する尖頭イオン化プローブであることができる。
【００３７】
供給蓋はいかなる大きさまたは形状であることもできる。それは、特に、円形または非円形の断面の、壁と、第１端面と、第２端面とによって境界が定められた、錐型の形状を有する。これら端面は錐の軸に垂直であっても、そうでなくてもよい。同様に、蓋は、使用と保管の条件下で熱的に安定な、そして、供給される粉体に対して化学的に不活性ないいかなる材料からなることもできる。この材料は、特に、ポリエチレン、ポリプロピレン、例えば４フッ化エチレン樹脂（テフロン）といったフッ素樹脂のような高分子材料であることができる。各部分はモールド成型できる。好ましい実施形態において、蓋の本体は、２つの同じ材料の摩擦によって生じる磨耗を制限するために、ウォームねじとは異なる材料からなる。
【００３８】
供給蓋の第２端面に位置する開口は、いかなる形状にも、特に三角形、四辺形、円形、楕円または他のいかなる形状にもできる。
【００３９】
本発明による装置と蓋の好ましい実施形態において、前記開口は、ウォームねじの軸上に中心を置き、ウォームねじの払い出し方向に開く角度を有する三角形の形状である。三角形の形状は、多様な粒径の広範囲の粉体を払い出すことを可能にする。例示的で非限定的な例として、一般にこの装置によって供給される粉体は、１００μｍ以下の直径を有する粒子からなる。
【００４０】
他の好ましい実施形態において、前記開口は、ウォームねじの軸上に中心を置き、ウォームねじの払い出し方向に開く角度を有する三角形であり、蓋の内側の方に、第２端面の全体の厚みよりも小さい厚み内に形成されている。
【００４１】
本発明の特定の実施形態によれば、供給蓋（１）は、供給蓋の動作の前、間または後に、開口（１２）の全体または一部を閉塞し、このため、開口の表面積を変更することを可能とする手段を含む。
【００４２】
この閉塞手段は、例えば、少なくとも１つの第２端面（５）の全体または一部を覆う要素を含むことができる。この閉塞手段は、旋回または平行移動のいずれでも、第２端面に対して可動であるように設置される。閉塞手段は、開口（１２）と対向する側に位置できる貫通穴を含む。そのような閉塞手段の可能な例は、カメラ形式のダイアフラムシャッタまたは当業者に公知の形式のスライドシャッタである。
【００４３】
本発明による粉体供給払い出し機は以下のように作動する。
払い出される粉体を包含し、供給キャップが装備された容器は、縦に、第２端面および払い出し開口が下になるように設置される。
ウォームねじは、供給ホッパを通して粉体が供給され、いかなる適切なシステムによってでも、長手方向の軸周りに開口を通して粉体の払い出しが可能な回転方向に回転させられる。代案として、払い出しは、装置の振動または軽打によって得られる。粉体を受け入れる容器は、継続的に払い出しを監視するために、はかりの皿の上に設置することができる。
一度、所望の量の粉体が払い出されると、ウォームねじの回転および／または振動または軽打は停止する。
装置は、新しい動作の準備状態となる。つまり、装置は保管しておくことができ、または、装置はさらなる同じまたは異なる供給に使用することができる。
【００４４】
供給動作が終了したとき、ウォームねじは、好ましくは払い出しを誘導するのと反対の方向に回転させられ、これにより、ウォームねじの端部近くに位置する粉体は供給ホッパに戻される。同時に、供給装置は、ウォームねじの回転が維持されている間、倒置される。供給蓋は、適切であれば、この目的に提供されたフードによりそのまま保持される。この手順の結果、ウォームねじに残っている粉体が粉体を収容する容器の中に供給ホッパを通して再導入され、汚染と無縁である。
【００４５】
もし、供給払い出し機が少なくとも１つの静電防止装置を含むなら、前記静電防止装置は、供給払い出し装置の使用継続時間中（例えば１００回の連続供給動作）、変わらず機能を維持できる。
【発明を実施するための最良の形態】
【００４６】
本発明は、今、図を参照しながら、より詳細に説明される。
【００４７】
図１は、動作していないときの供給装置の実施形態を示す。この詳細な実施形態では、蓋（１）は円筒である。本体（３）は、第１端面（４）と、該第１端面とともに、第１端面に向かって広がる円錐形の供給ホッパ（６）を定める第２端面（５）とを有する。供給ホッパ（６）は、ウォームねじ（７）を提供し、該ウォームねじの軸は、紙の面上に示される。ウォームねじは開口（１２）と連通している。第１端面（４）はねじ溝（９）を有し、粉体容器（１０）の上にねじ止めされている。
【００４８】
図２は、異なる角度での図１の供給装置を示す。符号は同じ意味を有する。ウォームねじ（７）は、紙面に垂直な軸上に示され、回転できるように設計された十字型の伝動部材（８）を備えている。ワッシャ（１１）は、蓋が容器（１０）に固定されたときに、漏れがない密接を確保する。供給蓋は、本体（３）を覆うように円筒形にデザインされ、埃または周囲の空気による粉体または装置の汚染を防止するフード（２）を備えている。
【００４９】
図３は、フード（２）と、図１の供給蓋の本体（３）と、ウォームねじ（７）と、漏れがない密接のためのワッシャ（１１）と、容器（１０）とを示す分解図である。
【００５０】
図４において、供給蓋の第２端面（５）は、ウォームねじの軸上に中心を置き、ウォームねじ（７）の払い出し方向に開く角度を有する開口を有する三角の形状の払い出し開口（１２）を含む。本実施形態において、第１の長方形の凹部が、第２端面の厚みの一部に形成されている。三角の形状の開口は残る厚みに、蓋の内側の方に形成されている。表示（１３）は、本体（３）の外表面に形成された切欠きである。ウォームねじの回転の増加角度または回転の速度を制御または変化させる装置は、ウォームねじの十字型の伝動部材に適合した十字型尖頭（１４）である。
【００５１】
図５ａ，５ｂ，５ｃは、供給蓋がどのように動作するかを示す。上に説明したように、第２端面および蓋の開口は、動作中下側に向けられる。図５ａにおいて、十字型尖頭（１４）は、軸周りの回転運動をするようにウォームねじ（７）を駆動し、該ウォームねじは、供給孔（６）を通して粉体が供給される。図５ｂにおいて、粉体は、ウォームねじによって、払い出しの方向に、三角の形状の開口に向かって運ばれる。図５ｃにおいて、粉体は、払い出し開口（１２）から払い出される。
【実施例】
【００５２】
ＢＶ１８薬用型の頚を有する標準瓶に適合する、モールド成型されたポリプロピレンからなる本体と、ともにおよそ５ｍｍの直径およびねじ溝を有するポリエチレンからなるウォームねじとを含む、本発明による供給蓋は、独立して２ｍｇの乳糖と２ｍｇのコーンスターチとを供給するのに使用される。
【００５３】
結果を測る手段が完全に最適化されていなくても、以下の限定されない結果が得られた。
乳糖は、測定値の７５％に対して±０．０７ｍｇの精度で、測定値の１００％に対して±０．１ｍｇの精度で２ｍｇが供給された。
コーンスターチは、測定値の９０％以上に対して±０．１５ｍｇの精度で２ｍｇが供給された。
【００５４】
さらに、従来の装置を使用したときと比較すると、時間の短縮は、３０％と評価された。
【図面の簡単な説明】
【００５５】
【図１】図１は、本発明による供給装置の実施形態の、断面の側面図である。
【図２】図２は、図１の供給装置の実施形態の、異なる角度の断面の側面図である。
【図３】図３は、図１に示される供給装置の実施形態の分解側面図である。
【図４】図４は、図１に示される供給装置の詳細な実施形態の第２端面の図である。
【図５ａ】図５ａは、動作中の粉体供給蓋の、断面の側面図である。
【図５ｂ】図５ｂは、動作中の粉体供給蓋の、断面の側面図である。
【図５ｃ】図５ｃは、動作中の粉体供給蓋の、断面の側面図である。
【国際公開パンフレット】
2004534940.tif 000003
2004534940.tif 000004
2004534940.tif 000005
2004534940.tif 000006
2004534940.tif 000007
2004534940.tif 000008
2004534940.tif 000009
2004534940.tif 000010
2004534940.tif 000011
2004534940.tif 000012
2004534940.tif 000013
2004534940.tif 000014
2004534940.tif 000015
2004534940.tif 000016
2004534940.tif 000017
2004534940.tif 000018
2004534940.tif 000019
2004534940.tif 000020
2004534940.tif 000021
2004534940.tif 000022
2004534940.tif 000023
2004534940.tif 000024
2004534940.tif 000025
2004534940.tif 000026
【国際公開パンフレット（コレクトバージョン）】
2004534940.tif 000027
2004534940.tif 000028
【国際調査報告】
2004534940.tif 000029
2004534940.tif 000030
2004534940.tif 000031
2004534940.tif 000032
2004534940.tif 000033
2004534940.tif 000034